(57)【要約】【課題】本発明は、視聴者が好みの番組を作成して視聴することができると共に、広告提供者の意図を反映した広告表示ができる番組編集装置を提供すること。【解決手段】番組提供者のクライアント装置３０から通信手段を介して、番組素材データ受付部１２１が属性情報と共に番組素材データを受け付け、番組素材データ記憶部１３１が属性情報と共に番組素材データを記憶する。また、広告データ記憶部１３２は、広告データを表示する条件を示す広告表示条件データと共に広告データを記憶する。そして、番組構成部１２３は、視聴者のクライアント装置からの選択要求に応じて、番組素材データ記憶部１３１に記憶された番組素材データの中から複数選択すると共に、広告表示条件データに基づいて、視聴者のクライアント装置に表示させる広告データを選択する。【選択図】図２
2010147737.tif 000002
【特許請求の範囲】
【請求項１】
通信ネットワークを通じてクライアント装置と通信する通信手段と、
番組素材提供者のクライアント装置から送信された番組素材データを前記番組素材データの属性情報と共に受け付ける番組素材データ受付手段と、
前記番組素材データを属性情報と共に記憶する番組素材データ記憶手段と、
広告希望者のクライアント装置から送信された広告データを、当該広告データを視聴者のクライアント装置に表示する条件を示す広告表示条件データと共に記憶する広告データ記憶手段と、
視聴者のクライアント装置からの複数の前記番組素材データの選択要求に応じて、前記番組素材データの中から前記選択要求をされた複数の番組素材データを選択すると共に、前記広告表示条件データ及び前記選択要求をされた複数の番組素材データの属性情報に基づいて、前記視聴者のクライアント装置に前記複数の番組素材データと共に表示する広告データを選択し、番組データを作成する番組構成手段と、
前記視聴者のクライアント装置に、前記番組データに基づいて前記番組素材データと前記広告データとを表示させるために送信する番組送信手段と、を備える番組編集装置。
【請求項２】
前記番組送信手段は、前記番組データとして選択された前記番組素材データの前記属性情報を参照し、前記属性情報と共通するデータを有する他の番組素材データを前記クライアント装置に送信する請求項１に記載の番組編集装置。
【請求項３】
前記広告希望者から前記広告データを受け付ける広告データ受付手段を更に備え、
前記番組構成手段は、前記広告データ毎の広告表示条件データを参照し、各広告表示条件データに含まれる前記条件から最も有利な条件データを有する広告表示条件データを抽出し、当該広告表示条件データと関連付けられた広告データを表示する広告データとして決定する請求項１又は２に記載の番組編集装置。
【請求項４】
前記番組構成手段により前記番組素材データが選択された回数を計数し、その計数値を記憶する表示ログ記憶手段と、
前記表示ログ記憶手段に記憶された前記計数値に基づいて、表示回数のランキングデータを作成するランキング作成手段と、を更に備え、
前記番組送信手段は、前記ランキング作成手段が作成したランキングデータを前記クライアント装置の表示手段に表示させる請求項１から３のいずれかに記載の番組編集装置。
【請求項５】
前記ランキング作成手段が作成した前記ランキングデータに基づいて、前記視聴者のクライアント装置から要求可能な番組素材データを決定する選択可能データ決定手段を更に備え、
前記選択可能データ決定手段は、前記視聴者のクライアント装置から要求可能な番組素材データを決定する場合に、前記表示ログ記憶手段を参照し、前記番組素材データ受付手段が前記番組素材データを受け付けてから所定期間経過後に前記計数値が所定の値以上である番組素材データを対象とする請求項４に記載の番組編集装置。
【請求項６】
前記表示ログ記憶手段は、前記広告データが前記番組送信手段により前記視聴者のクライアント装置に表示された表示回数を計数して記憶し、
前記番組編集装置は、前記表示ログ記憶手段に記憶された前記広告データの前記表示回数に基づいて、前記番組素材提供者に利益を還元する利益還元手段を更に備える請求項４又は５に記載の番組編集装置。
【請求項７】
前記番組素材データ受付手段は、前記視聴者のクライアント装置において再生された番組データを番組素材データとして受け付ける請求項１から６の何れかに記載の番組編集装置。
【請求項８】
前記番組素材データ受付手段は、前記番組素材データを他の番組素材データに関連付けて受け付ける請求項１から７の何れかに記載の番組編集装置。
【請求項９】
前記番組素材データは、テキストデータ、映像データ、画像データ、又は音声データのうち何れかである請求項１から８の何れかに記載の番組編集装置。
【発明の詳細な説明】
【技術分野】
【０００１】
本発明は、視聴者が好みの番組を作成して視聴することができると共に、また広告提供者の意図を反映した広告表示ができる番組編集装置に関する。
【背景技術】
【０００２】
従来、ラジオやテレビにおいて放送する番組を作成し、番組放送中にＣＭを放送することにより収入を得るというビジネスモデルが知られている。この場合、放送する番組を作成するのは、ラジオ局やテレビ局等が主体となる。しかし、これらの番組は、作成においてそれぞれマーケティング等により視聴者の好み等を調査の上作成されているものの、閲覧する視聴者にとっては作成された１つの番組を享受するしかなく、視聴者が好みの番組を見たいと思っても放送されている番組の中から選択するしかなかった。
【０００３】
また、テレビ局やラジオ局により放送された番組をＷｅｂ上で閲覧できるようにもなっている。この場合、過去に放送された番組が選択肢として複数選択できるようになっており、視聴者は、このなかから好みの番組を選択して閲覧できるようになっている。しかし、このような場合でも選択できるのは１つの番組単位であり、視聴者は作られたものを受動的に視聴するしかない。
【０００４】
さらには、インターネットと連動して視聴者が参加しながら番組を放送するという方法が提案されている。これは、例えば番組内でアンケートなどを行い、その結果を放送で見ながら反映させていく形式である。しかし、このような場合でも、参加できるのは一方的に提示されるアンケート等のみであり、参加機会そのものが限定されているので、視聴者が番組に参加しているという雰囲気を醸成するに過ぎないものであった。また、好みに合わせて番組内容を選択するということはできない。
【０００５】
そこで、Ｗｅｂ上で予め保存してあるコンテンツを選択して自分で番組を制作し、インターネット上で放送することができる発明が提案されている（特許文献１参照）。
【特許文献１】特開２００８−４２５８９号公報
【発明の開示】
【発明が解決しようとする課題】
【０００６】
しかし、特許文献１に記載の発明では、あくまでも放送されるのは番組１単位であるので、通常のテレビ番組やインターネット上で提供される番組を選択することには代わりがない。また、ＣＭなども番組制作者が選択することにより挿入されるので、ＣＭスポンサにとっては不確定要素が大きい。つまり、まず番組制作者に選択される必要があり、さらに、その挿入された番組が視聴者により選択されなければＣＭが表示されない。さらには、挿入された番組が視聴されたとしても、その視聴者にとっては表示されたＣＭに全く興味がなく、ＣＭの希求効果が低い場合がある。番組制作者は、ＣＭ選択時において、希求効果の高い視聴者を想定してＣＭを選択するとは限らないからである。したがって、番組を流通させたり市場を形成するには至らないという問題がある。
【０００７】
本発明は、視聴者が好みの番組を作成して視聴することができると共に、広告提供者の意図を反映した広告表示ができる番組編集装置を提供することを目的とする。
【課題を解決するための手段】
【０００８】
本発明では、以下のような解決手段を提供する。
【０００９】
（１）通信ネットワークを通じてクライアント装置と通信する通信手段と、番組素材提供者のクライアント装置から送信された番組素材データを前記番組素材データの属性情報と共に受け付ける番組素材データ受付手段と、前記番組素材データを属性情報と共に記憶する番組素材データ記憶手段と、広告希望者のクライアント装置から送信された広告データを、当該広告データを視聴者のクライアント装置に表示する条件を示す広告表示条件データと共に記憶する広告データ記憶手段と、視聴者のクライアント装置からの複数の前記番組素材データの選択要求に応じて、前記番組素材データの中から前記選択要求をされた複数の番組素材データを選択すると共に、前記広告表示条件データ及び前記選択要求をされた複数の番組素材データの属性情報に基づいて、前記視聴者のクライアント装置に前記複数の番組素材データと共に表示する広告データを選択し、番組データを作成する番組構成手段と、前記視聴者のクライアント装置に、前記番組データに基づいて前記番組素材データと前記広告データとを表示させるために送信する番組送信手段と、を備える番組編集装置。
【００１０】
（１）に係る発明によれば、番組編集装置は、番組素材提供者のクライアント装置から通信手段を介して、番組素材データ受付手段が属性情報と共に番組素材データを受け付けて、番組素材データ記憶手段は属性情報と共に番組素材データを記憶する。また、広告データ記憶手段は、広告希望者のクライアント装置から送信された広告データを、広告データを表示する条件を示す広告表示条件データと共に広告データを記憶する。そして、番組構成手段は、視聴者のクライアント装置からの選択要求に応じて、番組素材データ記憶手段に記憶された番組素材データの中から複数選択すると共に、広告表示条件データに基づいて、視聴者のクライアント装置に表示させる広告データを選択する。そして番組素材データと広告データとからなる番組データを作成する。その後、番組表示手段が視聴者のクライアント装置に、番組データに基づいて番組素材データと広告データとを表示させる。
【００１１】
これにより、番組素材提供者のクライアント装置から予め通信手段を介して属性情報と共に番組素材データを受け付け、記憶することができる。そして、記憶した番組素材データのなかから、視聴者のクライアント装置からの要求に応じて、当該クライアント装置に表示させる番組素材データを選択して、１つの番組を作成することができる。また、広告データも広告表示条件データに基づいて番組構成手段が選択するので、所定の条件を満たした広告を番組素材データと共にクライアント装置に１つの番組として提供することができる。このため、的確に広告をクライアント装置に表示させることができる。
【００１２】
（２）前記番組送信手段は、前記番組データとして選択された前記番組素材データの前記属性情報を参照し、前記属性情報と共通するデータを有する他の番組素材データを前記クライアント装置に送信する（１）に記載の番組編集装置。
【００１３】
（２）に係る発明によれば、番組表示手段は、番組データとして選択された番組素材データの属性情報を参照し、当該属性情報と共通するデータを有する他の番組素材データをクライアント装置に表示させる。
【００１４】
これにより、視聴者のクライアント装置には、クライアント装置の要求に応じて選択された番組素材データと広告データとが表示されると共に、当該番組素材データに関連する他の番組素材データをも表示される。このため、視聴者は、関連する番組素材データを探す手間が省け、容易に関連する番組素材データの閲覧を行うことができる。
【００１５】
（３）前記広告希望者から前記広告データを受け付ける広告データ受付手段を更に備え、前記番組構成手段は、前記広告データ毎の広告表示条件データを参照し、各広告表示条件データに含まれる前記条件から最も有利な条件データを有する広告表示条件データを抽出し、当該広告表示条件データと関連付けられた広告データを表示する広告データとして決定する（１）又は（２）に記載の番組編集装置。
【００１６】
（３）に係る発明によれば、広告希望者から広告データを受け付ける広告データ受付手段を有する。そして、番組構成手段は、広告データ毎の広告表示条件データを参照し、各広告表示条件データに含まれる条件のうち、最も有利な条件データを有する広告表示条件データを有する広告データを抽出する。
【００１７】
これにより、広告希望者は、広告表示条件データに、広告データが表示されるに足る条件設定をする必要がある。例えば、広告を表示したことに対応して支払われる広告料が広告表示条件データに含まれる場合には、競合する場合に、より高い広告料を設定した広告が表示されることになる。したがって、広告を表示させることについて競争原理を導入することができ、また、広告が表示されることで、表示される番組素材データに間接的に金銭的価値が付くことになり、当該番組編集装置を提供する事業者が利益を得られる仕組みを提供することができる。
【００１８】
（４）前記番組構成手段により前記番組素材データが選択された回数を計数し、その計数値を記憶する表示ログ記憶手段と、前記表示ログ記憶手段に記憶された前記計数値に基づいて、表示回数のランキングデータを作成するランキング作成手段と、を更に備え、前記番組送信手段は、前記ランキング作成手段が作成したランキングデータを前記クライアント装置に送信する（１）から（３）のいずれかに記載の番組編集装置。
【００１９】
（４）に係る発明によれば、表示ログ記憶手段は、番組素材データが番組構成手段により選択された回数を計数し、その計数値を記憶する。また、ランキング作成手段は、表示ログ記憶手段に記憶する計数値に基づいて、表示回数のランキングを作成する。そして、番組送信手段は、ランキング作成手段が作成したランキングデータを視聴者のクライアント装置の表示手段に表示させる。
【００２０】
これにより、表示された回数の多い番組素材データをランキング形式でクライアント装置の表示手段に示すことができる。このため、クライアント装置を使用する視聴者は、人気のある番組素材データを容易に知ることが可能となり、閲覧する番組素材データを選択する補助とすることができる。
【００２１】
（５）前記ランキング作成手段が作成した前記ランキングデータに基づいて、前記視聴者のクライアント装置から要求可能な番組素材データを決定する選択可能データ決定手段を更に備え、前記選択可能データ決定手段は、前記視聴者のクライアント装置から要求可能な番組素材データを決定する場合に、前記表示ログ記憶手段を参照し、前記番組素材データ受付手段が前記番組素材データを受け付けてから所定期間経過後に前記計数値が所定の値以上である番組素材データを対象とする（４）に記載の番組編集装置。
【００２２】
（５）に記載の発明によれば、選択可能データ決定手段は、ランキング作成手段が作成したランキングデータに基づいて、クライアント装置から要求可能な番組素材データを決定する。また、選択可能データ決定手段は、クライアント装置から要求可能な番組素材データを決定する場合に、表示ログ記憶手段に記憶されている、表示データの表示回数の計数値を参照する。そして、ランキング作成手段は、番組素材データ受付手段が番組素材データを受け付けてから所定期間経過後に計数値が所定の値以上である番組素材データを対象としてランキングを作成する。
【００２３】
これにより、番組素材データが受け付けられてから一定期間経過しても、閲覧されないような番組素材データを淘汰していくことができる。
【００２４】
（６）前記表示ログ記憶手段は、前記広告データが前記番組送信手段により前記視聴者のクライアント装置の表示手段に表示された表示回数を計数して記憶し、前記番組編集装置は、前記表示ログ記憶手段に記憶された前記広告データの前記表示回数に基づいて、前記番組素材提供者に利益を還元する利益還元手段を更に備える（４）又は（５）に記載の番組編集装置。
【００２５】
（６）に係る発明によれば、表示ログ記憶手段は、広告データについても表示回数を計数し、その計数値を記憶する。そして、利益還元手段は、広告データの表示回数に基づいて、表示ログ記憶手段に記憶された広告データの表示回数に基づいて、番組素材データを受け付けた番組素材提供者に利益を還元する。
【００２６】
これにより、番組素材データを提供したユーザにも、表示された広告に基づいて利益が還元されるので、番組素材データの提供を促進することができる。また、番組素材データは、視聴者のクライアント装置により選択され、１つの番組として形成されるので、番組素材データと広告とによる番組素材データの流通を行える場を提供することができる。
【００２７】
（７）前記番組素材データ受付手段は、前記視聴者のクライアント装置において再生された番組データを番組素材データとして受け付ける（１）から（６）の何れかに記載の番組編集装置。
【００２８】
（７）に係る発明によれば、番組素材データ受付手段は、視聴者のクライアント装置で再生された番組データを番組素材データとして受け付ける。これにより、視聴者がクライアント装置を操作して作成した番組そのものを番組素材データとしても利用することができる。これにより、番組データそのものも素材として他の番組作成に供することができ、番組作成のバリエーションを広げることができる。
【００２９】
（８）前記番組素材データ受付手段は、前記番組素材データを他の番組素材データに関連付けて受け付ける（１）から（７）の何れかに記載の番組編集装置。
【００３０】
（８）に係る発明によれば、番組素材データ受付手段は、ある番組素材データを他の番組素材データと関連付けて受け付けることができる。これにより、例えばある番組素材データに対して応答するような内容の番組素材データを関連付けて受け付けることができる。
【００３１】
（９）前記番組素材データは、テキストデータ、映像データ、画像データ、又は音声データのうち何れかである（１）から（８）の何れかに記載の番組編集装置。
【００３２】
（９）に係る発明によれば、番組素材データは、テキストデータ、映像データ、画像データ、又は音声データのうち何れかである。したがって、番組素材データを提供する者は、好みのデータ形式で番組素材データを提供することができる。番組素材提供者が提供しやすい形式で番組素材データを提供することができるので、様々な番組素材提供者から番組素材データの提供を受けることができる。例えば、番組素材データを作成するスキルが低いような番組素材提供者でも、参加することに対する心理的障害を少なくして、広く参加を促すことができる。
【発明の効果】
【００３３】
本発明によれば、視聴者が好みの番組を作成して視聴することができると共に、広告提供者の意図を反映した広告表示ができる番組編集装置を提供することができる。
【発明を実施するための最良の形態】
【００３４】
以下、本発明の実施形態について図を参照しながら説明する。
【００３５】
＜全体概要＞
図１を参照してシステム１の全体概要について説明する。図１は、本発明の実施形態に係るシステム１を示す図である。
【００３６】
システム１は、番組編集装置となる番組編集サーバ１０と、視聴者又は番組素材提供者となるユーザが操作するクライアント装置３０ａ，３０ｂ（以下、総称する場合はクライアント装置３０と示す）と、番組編集サーバ１０とクライアント装置３０と接続して相互に通信するネットワーク４０と、で構成される。
【００３７】
番組編集サーバ１０は、クライアント装置３０からの要求に応じて、番組を構成すると共に、当該番組に挿入する広告データを選択し、当該クライアント装置３０に送信して当該クライアント装置３０に表示させる。詳細には、要求を受けた視聴者のクライアント装置３０に、作成した番組の番組データ等各種データを送信する。
【００３８】
ここで、番組データは、番組編集サーバ１０が視聴者又は広告希望者のクライアント装置３０からの要求に応じて番組素材データ及び広告データを要求された順番で再生できるように構成された番組単位のデータをいう。また、番組は、本実施形態においては、ユーザにより選択された複数の番組素材データと、ユーザにより指定された再生順序を示すデータと、番組編集サーバ１０により選択された広告データと、で構成された番組データの１単位とする。
【００３９】
クライアント装置３０は、番組素材提供者や視聴者、広告希望者となるシステム１のユーザが使用する装置である。視聴者はクライアント装置３０を操作し、クライアント装置３０はその操作に応じてネットワーク４０に接続して番組編集サーバ１０に対し番組編集の要求を行う。また、番組素材提供者もクライアント装置３０を操作し、クライアント装置３０は、その操作に応じて番組編集サーバ１０に番組素材データを送信する。そして、クライアント装置３０は、番組編集サーバ１０から送信された番組データを始めとする各種データを受信し、クライアント装置３０の表示部（図示せず）に表示する。
【００４０】
クライアント装置３０は、いわゆるパーソナルコンピュータ３０ａや、携帯電話を始めとする携帯端末３０ｂなどのネットワーク４０に接続可能な装置であれば特に限定されない。また、本明細書においては、それぞれが単一の装置として示しているが、クライアント装置３０ａ，３０ｂは、それぞれが複数の装置であってよい。
【００４１】
＜番組編集サーバ＞
図２から図４を参照して番組編集サーバ１０について説明する。図２は、番組編集サーバ１０の機能構成を示す図である。図３は、番組素材データテーブルを示す図である。図４は、入札情報テーブルを示す図である。
【００４２】
番組編集サーバ１０は、通信部１１、処理部１２、記憶部１３を備える。
【００４３】
通信部１１は、ネットワーク４０を介してクライアント装置３０と接続し、番組データを始めとする各種データの送受信を行う。
【００４４】
処理部１２は、クライアント装置３０からの要求に応じて所定の処理を行う。処理部１２は、番組素材データ受付部１２１、広告データ受付部１２２、番組構成部１２３、番組送信部１２５、利益還元部１２６、選択可能データ決定部１２７、ランキングデータ作成部１２８、を有しており、各部がそれぞれの処理を担当する。詳細は後述する。
【００４５】
記憶部１３は、各種データを記憶する。詳細には、記憶部１３は、番組素材データ記憶部１３１、広告データ記憶部１３２、入札情報記憶部１３３、表示ログ記憶部１３４を有しており、各種データを記憶している。なお、本実施形態においては、１つの記憶部として記載しているが、これに限らず、各記憶部を別体として構成し、処理部１２における処理のに応じて読み出すようにしてもよい。詳細は後述する。
【００４６】
処理部１２の番組素材データ受付部１２１は、クライアント装置３０から番組素材データを受け付け、受け付けた番組素材データを番組素材データ記憶部１３１に記憶させる。この番組素材データは、番組を構成する単位であり、テキストデータ、画像データ、動画データ、音声データ等、様々なデータ形式の中から任意の形式であってよい。これらは、クライアント装置３０において作成される。
【００４７】
番組素材データ受付部１２１は、番組素材データを受け付ける際に、所定の属性情報をユーザに要求する。この属性情報は、番組素材データ記憶部１３１に番組素材データを記憶させる際の管理情報となる。詳細には、番組素材データ記憶部１３１は、番組素材データと共に、図３に示す番組素材データテーブルに格納される各種データを属性情報として記憶する。
【００４８】
広告データ受付部１２２は、クライアント装置３０において番組を表示する際に、番組の途中に挿入されて表示される広告データを広告希望者から受け付ける。広告希望者は、広告希望者が使用するクライアント装置３０を操作して広告データを番組編集サーバ１０に登録する。そして、広告データ受付部１２２は、受け付けた広告データを広告データ記憶部１３２に記憶する。
【００４９】
また、広告データ受付部１２２は、広告データと共に広告表示条件データを受け付ける。広告表示条件データは、広告データを表示させる条件を設定するデータである。例えば、ある番組素材データを表示させる度に広告データを表示するといった条件である。また、この場合に、広告データを表示させる度に広告料として所定金額が支払われる。この所定金額は、広告希望者により決定される。但し、複数の広告希望者が同じ条件で表示させる広告表示条件データを登録した場合には、広告料として指定した金額が最も高い広告希望者の広告データが表示される。すなわち、いわゆる広告データを表示するための入札を行っていることになる。
【００５０】
この広告表示条件データは、広告データ受付部１２２で受け付けられた後、入札情報記憶部１３３の入札情報テーブル（図４）に記憶される。
【００５１】
番組構成部１２３は、クライアント装置３０からの番組編集要求に応じて、番組を構成する。詳細には、クライアント装置３０から番組編集要求を受けた後に、番組の編集を行うための番組編集補助情報をクライアント装置３０に送信する。そして、クライアント装置３０を使用するユーザは、これらの補助情報を見ながら番組の編集を行うことができる。なお、本実施形態においては、番組構成部１２３が行う番組構成を行う処理は、クライアント装置３０における番組素材データの選択等について、逐次の操作に対応して行われるものとする。すなわち、番組構成部１２３は、クライアント装置３０においてユーザが１つの操作を行う毎に必要なデータ等を逐次クライアント装置３０に送受信するものとする。
【００５２】
番組編集補助情報は、例えば、番組素材データ記憶部１３１に記憶されている番組素材データを選択するための検索ツールであったり、検索した番組素材データをクライアント装置３０の表示部にするためのデータであったり、また選択した番組素材データを番組として表示する順番を決定するためのツール等を挙げることができる。また、番組素材データをクライアント装置３０の表示部に表示する場合には、番組素材データの属性情報も適宜表示するようにしてもよい。さらには、後述するランキングデータ作成部１２８により作成されたランキングデータを表示するようにしてもよい。番組構成部１２３は、表示するこれらのツールをクライアント装置３０の表示部に表示させ、ユーザはこれらを使用して、番組素材データを選択し、番組を作成する。
【００５３】
ここで、番組構成部１２３は、クライアント装置３０から選択要求された番組素材データと共に番組内で表示する広告データを選択する。ここで、広告データを番組構成部１２３が選択する単位としては、クライアント装置３０から選択要求を受けた複数の番組素材データ、すなわち選択された番組素材データからなる番組単位で広告データを選択する。
【００５４】
まず、番組構成部１２３は、番組を構成するものとして、選択要求を受けた複数の番組素材データの属性情報を参照する。この場合、番組構成部１２３は、複数の番組素材データが有する全ての属性情報をそれぞれ読み出す。次に、番組構成部１２３は、これら複数の属性情報と、入札情報記憶部１３３が記憶する入札情報テーブルの「入札対象」として指定した情報を参照し、該当する広告表示条件データを抽出する。そして、該当する広告表示条件データが複数ある場合には、該当する「入札対象」を指定する広告表示条件データの「入札金額」の欄を参照する。そして、番組構成部１２３は、該当する「入札対象」を指定する広告表示条件データの中から、「入札金額」の値が最も大きい広告表示条件データを有する広告データを、当該番組データに含む広告データとして選択する。
【００５５】
具体的には、例えば、図３の番組素材データテーブルにおいて、番組ＩＤが「１２３４５」と「１３５７９」の番組素材データが番組として選択された場合を説明する。まず、番組構成部１２３は、これらの番組素材データの属性情報をそれぞれ参照する。番組ＩＤ「１２３４５」が有する属性情報は、入稿者ＩＤ「ａｂｃ」、タイトル「○○クイズ」、出演タレント「○○」、形式「ビデオ」、企画「クイズ」、ジャンル「鉄道」である。また、番組ＩＤ「１３５７９」が有する属性情報は、入稿者ＩＤ「ａｂｃ」、タイトル「○○クイズ」、出演タレント「□○」、形式「テキスト」、企画「クイズ」、ジャンル「政治」である。したがって、これら２つの番組素材データ全体が有する属性は、入稿者ＩＤ「ａｂｃ」、タイトル「○○クイズ」、出演タレント「○○」及び「□○」、形式「ビデオ」及び「テキスト」、企画「クイズ」、ジャンル「鉄道」及び「政治」となる。
【００５６】
次に、番組構成部１２３は、これらの属性情報に入札している広告データを検索する。具体的には、番組構成部１２３は、個々の広告データに関連付けられている広告表示条件データの「入札対象」として格納されている情報を参照し、２つの番組素材データ全体が有する属性情報のうちいずれかを入札対象としている広告表示条件データを検索する。図４の入札情報テーブルを例とすると、「ジャンル：鉄道」を入札対象としている２行目の広告表示条件データ、及び「企画：クイズ、ジャンル：政治」を入札対象としている３行目の広告表示データが該当する。
【００５７】
次に、検索した結果、該当する複数の広告表示条件データの「入札金額」を比較する。すなわち、図４の入札情報テーブルにおいて、２行目の広告表示条件データと３行目の広告表示条件データの「入札金額」欄を比較する。すると、２行目の広告表示条件データは、「１０００円／回」であり、３行目の広告表示条件データは「３００円／回」である。そして、「入札金額」において最も高い金額を格納する広告表示条件データに関連付けられた広告データを当該番組において表示する広告データとして決定する。すなわち、上記の例の場合、入札金額が「１０００円／回」である２行目の広告表示条件データに関連付けられる広告データ「ＢＢＢ．ａｖｉ」が選択される。
【００５８】
番組構成部１２３は、広告データを選択すると、番組送信部１２５に当該結果を送る。
【００５９】
番組送信部１２５は、番組データを、番組編集要求を受けたクライアント装置３０に通信部１１を用いて送信する。詳細には、番組送信部１２５は、番組構成部１２３の処理を受けて、選択要求を受けた番組素材データと番組構成部１２３が選択した広告データとを番組データとして形成し、選択要求を受けたクライアント装置３０に送信する。なお、この場合、複数の番組データが選択されている場合には、番組データとしてクライアント装置３０で表示される順番を示すデータを含むことができる。
【００６０】
また、番組送信部１２５が番組データをクライアント装置３０に送信したことにより、クライアント装置３０において番組素材データ及び広告データが表示されたとして、番組送信部１２５は、表示ログ記憶部１３４にその表示回数の計数値を記憶する。
【００６１】
また、番組送信部１２５は、番組データをクライアント装置３０に送信したことに応じて、入札情報テーブルにおける「上限金額」欄の値を表示回数と「入札金額」の欄に応じて減算し、結果を当該欄に記憶する。
【００６２】
ここで表示ログ記憶部１３４は、番組素材データと広告データの表示回数をそれぞれ計数し、その値を記憶する記憶部である。
【００６３】
選択可能データ決定部１２７は、クライアント装置３０から選択要求をすることができる番組素材データを決定する。つまり、番組を構成できる番組素材データを決定する。詳細には、選択可能データ決定部１２７は、表示ログ記憶部１３４を参照し、表示回数の計数値が所定の値以下である場合、該当する番組素材データを選択不可とする。これにより、アクセスのない番組素材データを淘汰することができる。
【００６４】
ここで、選択可能データ決定部１２７が適用する条件としては、例えば、上述のように、表示ログ記憶部１３４における表示回数が所定の値以下である場合を基本とする。またこの場合、番組素材データ受付部１２１が番組素材データを受け付けてから所定期間は、選択可能データ決定部１２７が適用する条件の適用除外の対象とすることが好ましい。番組素材データが受け付けられた直後はクライアント装置３０において全く選択されなくても所定期間の間は選択可能とすることができる。なお、この所定期間は、システム管理者が任意に設定することが可能である。
【００６５】
また、選択可能データ決定部１２７が番組素材データを選択可能とするか否かの条件を適用する期間を設けてもよい。例えば、直近６ヶ月以内で、表示回数が所定回数以下の番組素材データは選択不可とするというように、対象期間を設けてもよい。これにより、過去において一時的に表示回数が多かったが、最近は全く表示されないような古い番組素材データについても淘汰することができる。
【００６６】
広告データについては、選択可能データ決定部１２７は、広告データ記憶部１３２に記憶する入札情報テーブルを参照し、広告データの表示期間と上限金額とを参照する。まず、選択可能データ決定部１２７は、広告データの表示期間を参照し、表示期間内であるかを判断する。広告データの表示期間外である場合には、選択可能データ決定部１２７は、当該広告データを選択対象から除外する。
【００６７】
広告データが表示期間内である場合には、選択可能データ決定部１２７は、次に上限金額を参照する。
【００６８】
ランキングデータ作成部１２８は、ランキングデータを作成する。ランキングデータは、所定条件に基づいて、順位付けをしたデータである。このランキングデータを形成する条件は、システム１の管理者が任意に設定することができる。この条件としては、例えば、番組素材データについて、クライアント装置３０から選択要求された回数の多い順や、入札情報テーブルの「入札対象」において、入札対象として指定された数が多い順等を挙げることができる。また、番組素材データテーブルにおけるジャンルや企画、出演タレント別に、受け付けたデータ数の多い順や、選択された番組素材データのジャンル別、企画別、出演タレント別の選択数の多い順などを挙げることができる。
【００６９】
利益還元部１２６は、広告データが表示されたことにより発生する広告料（入札金額）をシステム１の管理者及び広告データが表示される契機となった番組素材データの番組素材提供者に対して利益を還元する。
【００７０】
詳細には、広告データが表示されたことにより、当該広告データの広告表示条件データに含まれる入札金額の所定割合を番組素材提供者に還元し、残りの金額をシステム１の管理者に還元する。
【００７１】
この入札金額の所定割合を還元するには、例えば、システム１を使用する際に事前にユーザの情報を登録しておき、当該ユーザの情報に関連付けて何らかの利益を還元する。利益は、例えば当該システム１において通用する通貨的な交換価値を有するものであったり、ユーザの銀行口座などに相当する金額を振り込むなどしてもよい。
【００７２】
記憶部１３は、番組素材データ記憶部１３１、広告データ記憶部１３２、入札情報記憶部１３３、表示ログ記憶部１３４を有する。
【００７３】
番組素材データ記憶部１３１は、番組素材提供者のクライアント装置３０から送信された番組素材データ及びその属性情報を記憶する。
【００７４】
広告データ記憶部１３２は、広告希望者のクライアント装置３０から送信された広告データを記憶する。この記憶データは、入札情報記憶部１３３の広告表示条件データに関連付けられている。
【００７５】
入札情報記憶部１３３は、広告表示条件データを記憶する。それぞれの広告表示条件データは、広告データ記憶部１３２に記憶された広告データに関連付けられている。
【００７６】
表示ログ記憶部１３４は、視聴者のクライアント装置３０により選択された番組素材データ及びこれに伴い番組構成部１２３に選択された広告データが番組データとして要求を受けたクライアント装置３０に送信されたことに伴い、表示されたとしてその計数値を記憶する。
【００７７】
その他、記憶部１３は、当該番組編集サーバ１０が種々の処理をするに伴って必要な種々のデータを記憶する。
【００７８】
図３を参照して、番組素材データテーブルについて説明する。図３は、番組を構成する番組素材データ及びその属性情報を記憶する番組素材データテーブルを示す図である。
【００７９】
番組素材データテーブルは、「素材ＩＤ」、「ユーザＩＤ」、「タイトル」、「出演タレント」、「形式」、「企画」、「ジャンル」、「番組素材データ」の各項目を少なくとも有する。番組素材データテーブルは、各行で１つの番組素材データ及びその属性情報を構成する。なお、当該番組素材データテーブルは、複数の項目（タグ）により特定することもできる。
【００８０】
「素材ＩＤ」列は、番組素材データ及びその属性情報をあらわす一意の番号が格納される。素材ＩＤは、ある番組素材データ及びその属性情報を特定する情報となる。
【００８１】
「ユーザＩＤ」列は、番組素材データ及び属性情報を番組編集サーバ１０に送信したユーザのＩＤを示す属性情報が格納される。ユーザＩＤは、本実施形態においては、当該システム１を使用するユーザを特定する一意の文字列をいう。ユーザＩＤは、当該システム１をユーザが初めて使用する際に、ユーザが登録する。登録をするには、クライアント装置３０から番組編集サーバ１０にネットワークを通じてアクセスし、所定のフォーマットに入力することにより行う。なお、ユーザ登録用のサーバを備え、これに登録し、ユーザの属性情報を記憶するようにしてもよい。この場合、番組編集サーバ１０は、必要に応じてユーザ登録用サーバにアクセスし、必要な情報を照会する。
【００８２】
「タイトル」列は、番組素材データのタイトルを示す属性情報が格納される。また、番組のタイトルであってもよい。これらのタイトルの入力は、ユーザにより任意である。この場合、所定の番組データ又は番組素材データを示すタイトルを入力することにより、登録する番組素材データは、その番組データや番組素材データ自体に関連付けて記憶することができる。
【００８３】
「出演タレント」列は、番組素材データに出演するタレント名を示すデータが格納される。この「出演タレント」行には、該当する場合に入力されればよく、出演するタレントがいなければデータ入力されなくてもよい。
【００８４】
「形式」列は、番組素材データのデータ形式を示す属性情報が格納される。このデータ形式は、番組素材データがどのようなデータであるかを示す情報である。例えば、文字情報であれば「テキスト」、画像の情報であれば「フォト」、動画の情報であれば「ビデオ」、音声のみであれば「音声」等の情報が入力される。
【００８５】
「企画」列は、番組素材データがどのような企画に属するものであるかを示す属性情報が格納される。この行には、企画の種類を示す情報が格納される。例えば、番組素材データがクイズ番組の問題や解答を示すようなデータである場合には、「企画」行には、「クイズ」という情報が入力される。
【００８６】
「ジャンル」列は、番組素材データの内容がどのようなジャンルに含まれるかを示す属性情報が格納される。このジャンルは、番組素材データの内容が含まれる分野を示す。例えば、番組素材データが鉄道分野であれば「ジャンル」の欄には「鉄道」と登録される。
【００８７】
「番組素材データ」列は番組素材データが格納される。
【００８８】
図４を参照して、入札情報テーブルについて説明する。この入札情報テーブルは、広告データ受付部１２２が広告データと共に受け付けた広告表示条件データが格納されるテーブルである。
【００８９】
入札情報テーブルは、「広告希望者ＩＤ」、「入札対象」、「入札金額」、「上限金額」、「広告データ」、「表示期間」の各項目をそれぞれ有する。そして、入札情報テーブルの各行がそれぞれ広告表示条件データを構成する。なお、当該入札情報テーブルは、上述の番組素材データテーブルと同様に複数の項目（タグ）により特定して入札することもできる。
【００９０】
「広告希望者ＩＤ」列には、広告希望者のＩＤが記憶される。この広告希望者ＩＤは、上述のユーザＩＤと同様に、当該システム１を使用する広告希望者を特定する一意の文字列をいう。広告希望者ＩＤは、当該システム１を広告希望者が初めて使用する際に、広告希望者が登録する。登録をするには、広告希望者のクライアント装置３０から番組編集サーバ１０にネットワークを通じてアクセスし、所定のフォーマットに入力することにより行う。なお、広告希望者登録用のサーバを備え、これに登録してもよい。この場合、番組編集サーバ１０は、必要に応じて広告希望者登録用サーバにアクセスし、必要な情報を照会する。
【００９１】
「入札対象」列には、広告データを表示するにおいて、対象とする番組素材データの属性情報が格納される。この属性情報は、素材データテーブルに記憶されている各種情報である。本実施形態においては、例えば、「タイトル」列、「出演タレント」列、「企画」列、「ジャンル」列等に記憶されている各種種別が対象となる。また、素材ＩＤを指定して特定の番組素材データを指定してもよい。図４に示すように、この入札対象としては、複数の対象を指定してもよい。
【００９２】
「入札金額」列には、当該広告データが表示される度に広告料として広告希望者が支払う金額が格納される。この入札金額は、広告希望者が任意に定めることが可能となる。そして、この「入札金額」列に入力された値により、番組構成部１２３が選択する広告データを選択する。
【００９３】
「上限金額」列には、広告データを表示した場合に入札金額に記憶する金額が広告料として徴収されるが、その徴収される金額の上限値が格納される。広告希望者にとってのいわゆる広告予算となる。そして、広告データが表示される度に、番組送信部１２５がこの上限値の値から入札金額を表示回数に応じて減算する。そして、上限金額に格納された値が０（ゼロ）となった場合に、当該広告データは、番組構成部１２３の選択対象から除外される。
【００９４】
「広告データ」列には、広告データが格納される。本実施形態においては、広告データは広告データ記憶部１３２に記憶される。したがって当該列には、広告データ記憶部１３２に記憶された広告データと、当該広告表示条件データとを関連付ける情報が格納される。この入札情報テーブルの「広告データ」列には、ファイル名が格納される。なお、ファイル名に限らず、広告データと一意に関連付けられるものであればファイル名に限らない。ここで広告データは、動画、テキスト、所定の動作を行うプログラム等、広告希望者が任意に作成したファイルであってよい。
【００９５】
「表示期間」列には、広告データの表示期間が格納される。この表示期間は、広告データ受付部１２２が広告データを受け付ける際に、広告表示条件データとして同時に受け付けるものである。本実施形態においては、「表示期間」列は、「始期」列と「終期」列とから構成される。そして、「表示期間」列に格納されている表示期間内において、広告データが番組構成部１２３により選択される対象となる。この選択対象となるか否かについての決定は、上述のように、選択可能データ決定部１２７により行われる。
【００９６】
＜処理の流れ＞
図５から図７を参照して当該システム１における番組編集サーバ１０が行う処理について説明する。図５は、番組素材受付処理の流れを示すフローチャートである。図６は、広告データ受付処理の流れを示すフローチャートである。図７は、番組構成処理の流れを示すフローチャートである。
【００９７】
図５を参照して番組素材受付処理の流れについて説明する。
【００９８】
始めに、番組素材データ受付部１２１は、番組素材提供者のクライアント装置３０から番組素材データの提供を受け付ける（ステップＳ１１）。具体的には、番組素材提供者のクライアント装置３０から番組素材データを提供をする旨の要求を受けると、番組素材データ受付部１２１は、番組素材データの提供を受ける旨の返信を行い、番組素材データの受付を開始する。この場合、番組素材データ受付部１２１は、番組素材データ受付用の画面を当該クライアント装置３０に送信して、表示させることにより番組素材データを受け付ける処理を行う。そして、番組素材データ受付部１２１は、クライアント装置３０から番組素材データを受信する。
【００９９】
ステップＳ１２では、番組素材データ受付部１２１は、属性情報の受付を行う。詳細には、ステップＳ１１で番組素材データの受付を開始したことに応じて、番組素材データ受付部１２１は、属性情報登録用のデータを送信してクライアント装置３０に属性情報登録用の画面を表示させる。そして、クライアント装置３０の操作デバイスを用いた番組提供者からの入力を受け付け、その結果を受信する。このとき、番組素材提供者に入力を促す属性情報は、本実施形態においては、少なくとも図３の番組素材データテーブルに格納される各項目である。
【０１００】
ステップＳ１３では、番組素材データ受付部１２１は、クライアント装置３０から送信された番組素材データ及び属性情報を番組素材データ記憶部１３１に記憶する。
【０１０１】
図６を用いて広告データ受付処理について説明する。
【０１０２】
始めに、広告データ受付部１２２は、広告希望者のクライアント装置３０から広告掲載を希望する旨の要求を受け付ける（ステップＳ２１）。詳細には、広告希望者のクライアント装置３０から広告データの掲載を希望をする旨の要求を受けると、広告データ受付部１２２は、広告データの掲載を受け付ける旨の返信を行い、広告データの受付を開始する。この場合、広告データ受付部１２２は、当該クライアント装置３０に対して広告データ受付用の画面を当該クライアント装置３０に送信して、表示させることにより広告データを受け付ける処理を行う。そして、広告データ受付部１２２は、クライアント装置３０から広告データを受信する。
【０１０３】
ステップＳ２２では、広告データ受付部１２２は、広告表示条件データの受付を行う。詳細には、ステップＳ２１で広告データの受付を開始したことに応じて、広告データ受付部１２２は、広告表示条件データ登録用のデータを送信して、クライアント装置３０に属性情報登録用の画面を表示させる。そして、クライアント装置３０において、広告希望者からの入力を受け付け、その結果を受信する。このとき、広告希望者に入力を促す広告表示条件データは、本実施形態においては、少なくとも図４の入札情報テーブルに格納される各項目である。すなわち、広告データを表示させる条件を入力させる。具体的には、広告データが表示させる毎に発生する広告料と、広告データを表示させる入札対象とについて、少なくとも入力を促す。
【０１０４】
ステップＳ２３では、広告データ受付部１２２は、広告希望者のクライアント装置３０から送信された広告データ及び広告表示条件データを広告データ記憶部１３２、入札情報記憶部１３３にそれぞれ記憶する。
【０１０５】
図７を参照して番組構成処理について説明する。番組構成処理は、番組構成部１２３を中心として実行される処理である。
【０１０６】
始めに、番組構成部１２３は、クライアント装置３０から、番組編集要求を受け付ける（ステップＳ３１）。
【０１０７】
ステップＳ３２では、番組構成部１２３は、編集補助情報を番組編集要求を受け付けたクライアント装置３０に送信する。これにより、視聴者となるユーザは、番組の構成を開始することができる。
【０１０８】
ステップＳ３３では、番組構成部１２３は、番組編集要求を受け付けた番組素材データの選択を複数受け付ける。番組構成部１２３は、複数の番組素材データの選択要求を受け付けたことに伴い、選択された複数の番組素材データを番組素材データ記憶部１３１から読み出す。ここで受け付けた複数の番組素材データが１つの番組を構成する。
【０１０９】
ステップＳ３４では、番組構成部１２３は、広告データを選択する。広告データの選択処理は、番組構成部１２３が行う。まず番組構成部１２３は、選択された複数の番組素材データの数に応じて選択する広告データの数を決定する。そして、番組構成部１２３は、選択された複数の番組素材データが有する属性情報をそれぞれ参照する。次に、これら番組を構成する複数の番組素材データ全体の属性情報に基づき、当該属性情報の何れかを入札対象とする広告データを検索する。検索した結果、ヒットした広告データのうち、入札金額が最も高い値を有する広告データを表示する広告データとして選択する。
【０１１０】
ステップＳ３５では、番組構成部１２３は、選択された複数の番組素材データの間に表示する広告データを挿入する。この広告データを挿入する位置は、番組構成部１２３が任意に決定する。例えば、番組素材データが２つ表示される毎に１つの広告データを挿入する等である。
【０１１１】
ステップＳ３６では、番組構成部１２３は、番組の再生要求を受け付けたか否かを判別する。詳細には、番組構成部１２３は、クライアント装置３０から番組編集を終了した旨の信号を受け、クライアント装置３０で編集された番組を再生する旨の信号を受信したか否かを判別する。番組を再生する旨の信号を受信した場合（この判別でＹＥＳの場合）は、ステップＳ３７に移り、番組を再生しない旨の信号を受信した場合（この判別でＮＯの場合）には、ステップＳ３２戻る。この処理により、ステップＳ３２からステップＳ３５の一連の操作により、番組が編集されたこととなる。
【０１１２】
ステップＳ３７では、番組構成部１２３は、これまでに番組として選択された複数の番組素材データ及び広告データ、及びこれらの再生順を示す再生順序データを番組送信部１２５に移動させる。そして番組送信部１２５は、これらのデータを番組データとして通信部１１を経由して要求を受けたクライアント装置３０に送信する。
【０１１３】
ステップＳ３８では、番組送信部１２５は、表示ログを記憶する。番組データをクライアント装置３０に送信したことにより、当該番組データは送信先のクライアント装置３０において表示される。番組送信部１２５は、この送信されたことについての記録を表示ログ記憶部１３４に記憶する。表示ログは、番組素材データ及び広告データそれぞれにおいて記憶される。また、広告データについては、番組送信部１２５は、広告データ記憶部１３２の「上限金額」欄の値を、入札金額と番組データにおける表示回数とに応じて減算しその結果の値を当該欄に格納する。さらに、表示ログが記憶されたことを受けて、選択可能データ決定部１２７は、選択可能データの情報を更新する。また、ランキングデータ作成部１２８は、ランキングデータを更新する。
【０１１４】
ステップＳ３９では、利益還元部１２６が利益還元処理を行う。利益還元部１２６は、広告データが表示されたことにより、広告データの入札金額の所定割合に相当する利益を広告データが表示される契機となった番組素材データの番組素材提供者に還元する処理を行う。具体的には、番組素材データ記憶部１３１に記憶された属性情報を参照し、当該番組素材データの番組素材提供者のユーザＩＤに当該利益を関連付けて記憶部１３に記憶する。例えば、利益として入札金額の所定割合に相当する金額である場合には、利益還元部１２６は、ユーザＩＤに当該金額を関連付けて記憶する。
【０１１５】
ステップＳ４０では、番組構成部１２３は、番組データを保存するか否かを判別する。詳細には、視聴者のクライアント装置３０において編集された番組データを保存する要求信号を受信したか否かを判別する。番組構成部１２３は、番組データを保存する要求信号を受信した場合（この判別でＹＥＳの場合）には、ステップＳ４１に移る。また、番組データを保存する要求信号を受信しない場合（この判別でＮＯの場合）には、ステップＳ３１に戻る。
【０１１６】
ステップＳ４１では、番組構成部１２３は、番組データを保存する。詳細には、番組構成部１２３は、番組素材データ受付部１２１に当該番組データを移動させ、番組データを番組素材データとして番組素材データ記憶部１３１に記憶する。これにより、視聴者が編集した番組データを番組素材データとしてさらに利用することが可能となる。
【０１１７】
＜表示例＞
図８及び図９を参照して表示例について説明する。図８は、番組編集要求を行ったクライアント装置３０において表示される番組編集画面の表示例である。図９は、番組構成の例を示す図である。
【０１１８】
図８を参照して番組編集要求を行ったクライアント装置３０において表示される番組編集画面の表示例について説明する。
【０１１９】
視聴者がクライアント装置３０を用いて番組を編集する場合には、番組を編集するための編集補助情報がクライアント装置３０の表示部（図示せず）に表示される。視聴者は、クライアント装置３０の操作デバイス（図示せず）を介して編集補助情報を用いて番組を編集する。
【０１２０】
編集補助情報としては、番組表示部５１、編集領域６０及び関連データ表示領域７０で構成されている。番組表示部５１は、選択された番組素材データや番組データを再生表示する部分である。また、番組表示部５１の近くには、再生表示する際の操作用ボタンが配置される。すなわち、再生ボタン５２、一時停止ボタン５３、巻き戻しボタン５４、早送りボタン５５、音量調整ボタン５６、停止ボタン５７、通し再生ボタン５８が設けられている。通し再生ボタンは、番組データを再生表示する場合に、複数の番組素材データ及び広告データを通して再生表示する場合のボタンである。
【０１２１】
編集領域６０は、番組を編集する際に主として使用する領域である。編集領域６０は、番組素材データを検索する検索部６１、検索した結果を表示する検索結果表示部６２、選択結果を表示する選択結果表示部６３、選択された番組素材データの数を表示する選択データ数表示部６４、表示する広告データの数を示す広告数表示部６５で構成される。
【０１２２】
検索部６１は、番組素材データを検索する部分である。視聴者は、検索部６１の入力領域に所定の単語等を入力し、番組を構成したい番組素材データを検索する。本実施形態では、検索部６１として、「ジャンル」と「ランキング」の項目が用意されている。「ジャンル」は、個々の番組素材データを検索するための項目である。視聴者は、「ジャンル」の検索欄に所定の単語を入力して、目的の番組素材データを検索することができる。
【０１２３】
「ランキング」欄は、ランキングデータを検索するための項目である。番組編集サーバ１０のランキングデータ作成部１２８が作成した各種ランキングを検索することができる。例えば、選択された回数が多い番組素材データ、ジャンル等のランキングであったり、特定のタレントが登場する番組素材データのなかで選択された回数が多い番組データのランキングや、タレント毎、ジャンル毎等を挙げることができる。そして、ランキングデータ作成部１２８は、「ランキング」欄に入力された単語に基づいてランキングを作成し、検索結果表示部６２に表示する。
【０１２４】
検索結果表示部６２は、検索部６１において要求された検索結果を表示する領域である。検索結果表示部６２で表示されるのは、テキストデータだけでなく、番組素材データの画像を表示するようにしてもよい。視聴者は、検索結果表示部６２に表示されたデータから番組を構成する番組素材データを選択する。番組素材データを選択するには、例えば、検索結果又はランキングデータの中から任意の番組素材データをクリックするなどにより行うことができる。そして、選択された番組素材データは、選択結果表示部６３に表示される。
【０１２５】
選択結果表示部６３は、視聴者が番組を構成するものとして選択した選択結果を表示する領域である。また同時に番組として、番組素材データを表示する表示順についても表示される。表示順を決定するには、選択結果表示部に表示されている番組素材データの位置を所定の順番が記載されている領域に移動させることにより行うことができる。
【０１２６】
選択データ数表示部６４は、選択結果表示部６３に表示されている番組素材データの数を示す。また、広告数表示部６５は、編集中の番組内で表示することが要求される広告データの数を示す。この数は、選択データ数表示部６４に表示される値に応じて自動的に変動する。広告表示数は、システム１の管理者が定める条件に応じて算出される。
【０１２７】
また、選択結果表示部６３には、広告データを挿入される位置を示す手段として、広告挿入マーク６６が表示される。この広告挿入マーク６６は、番組構成部１２３が広告データを挿入した位置を示すしるしである。視聴者は、広告挿入マーク６６の位置を視認することにより、いつ広告データが表示されるかを認識することができる。
【０１２８】
また、広告挿入マーク６６には、表示させる広告データの数を示す広告数マーク６７が表示される。これは、指定した位置に広告データがいくつ表示されるかを示すマークである。本表示例では、３番目と４番目の番組素材データの間、及び６番目と７番目の番組素材データの間に広告挿入マーク６６が表示されている。そして、広告挿入マーク６６の下側に、広告数マーク６７が２つ又は１つそれぞれ表示されている。これは、広告データが、番組素材データの３番目と４番目の間に２つ表示され、６番目と７番目の番組素材データの間に１つ表示されることを示している。
【０１２９】
また、編集領域６０の最下段には、視聴者が作成した番組データを保存するか否かを選択する選択ボタン６８，６９が設けられている。番組データを保存したい場合には、「Ｙｅｓ」の選択ボタン６８を選択する。すると、現在の番組データ（選択結果表示部６３に示されている構成）が番組素材データとして番組素材データ受付部１２１により受け付けられ、番組素材データ記憶部１３１に記憶される。
【０１３０】
また、「Ｎｏ」の選択ボタン６９が選択されると、番組データは保存されず、現在の番組データ（選択結果表示部６３に示されている構成）が初期状態にリセットされる。
【０１３１】
番組表示部５１と編集領域６０との右側には、関連データ表示領域７０が設けられている。関連データ表示領域７０は、番組表示部５１又は検索結果表示部６２、選択結果表示部６３に表示されている番組素材データに関連するデータが表示される領域である。関連するデータとは、例えば、番組素材データ記憶部に記憶されている属性情報の各項目が共通するデータである。もしくは、番組素材データの選択履歴を記憶しているような場合には、似たような選択履歴又は属性を有する他の視聴者が過去に選択した番組素材データ等を表示してもよい。
【０１３２】
関連データ表示領域には、単に番組素材データが表示されるだけでなく、番組素材データの属性情報も同時に表示される。
【０１３３】
図９を参照して、番組構成例について説明する。ここで説明する番組構成例は、図８に示す構成例を説明するためのものである。ここで、「順序」列は、番組データとして構成される番組素材データ及び広告データの通し順を示す。「種別」列は、データの種類及び各データ種別毎の番号を示す。データの種類とは、選択されたデータが番組素材データか、広告データであるかの別を示す。また、データ種別毎の番号とは、選択結果表示部６３に表示される位置を示す。すなわち、「１」、「２」等の数字は、番組において番組素材データが表示される順番を示す。「データ」欄は、選択された番組素材データの具体例又は広告データであることをしめす。「素材データ」欄は、検索部６１による検索の結果、検索結果表示部６２に表示された番組表示データの一例を示す。
【０１３４】
また、この例では、番組素材データを７つ選択するとし、これに合わせて表示することを要求される広告データは３つであるとする。
【０１３５】
まず、「順番１」に選択されているのは、番組素材データであり、タイトルを示すものが選択されている。このタイトルも番組素材データである。例えば、検索部６１において、ジャンルを検索し、さらに「タイトル」で検索すると、検索結果表示部６２に検索結果としてタイトルを示す番組素材データが表示される。このうち、視聴者は「この絵にヒゲを付けるなら」というタイトルの番組素材データを選択したため、選択結果表示部６３の「１」の欄に当該番組素材データが表示される。
【０１３６】
「順番２」及び「順番３」にも、番組素材データが選択されている。この番組素材データは、あるヒゲの形を示す。すなわち、視聴者は、検索部６１においてヒゲの形を有する番組素材データを検索し、その結果、検索結果表示部６２に表示された検索結果の中から、当該番組素材データを選択している。
【０１３７】
「順番４」には、広告データが２つ表示される。これは、選択結果表示部６３において、広告挿入マーク６６が表示順の「３」と「４」との間に設定されていることによる（図８参照）。広告数マーク６７が２つ表示されているので、ここで番組構成部１２３により選択される広告データは、２つである。
【０１３８】
「順番５」、「順番６」、「順番７」には、番組素材データが選択されている。視聴者は、「順番２」及び「順番３」でヒゲの形を選択しているのを受け、さらにそのヒゲの別名を問うことで番組を進行させていることを示す。また、「順番６」でヒゲの別名を示す番組選択データを選択した後、さらに、「順番７」でそのヒゲ名のタレント登場といういわゆるあおり文句の番組素材データを選択し、番組の盛り上げを図っている。
【０１３９】
「順番８」には、広告データが１つ表示される。「順番４」と同様に、広告挿入マーク６６及び広告数マーク６７により広告データを表示する位置及びその数が指定されていることによる。
【０１４０】
「順番９」には、最後に７つ目の番組素材データが選択されている。「順番７」で表示した番組素材データに対応するものとして、素材２で選択した番組素材データが示すヒゲを付けたタレントが表示される番組素材データが選択されている。
【０１４１】
このように、視聴者は、一連の番組構成を複数の番組素材データを選択することにより行うことができる。また、各番組素材データは、基本的には本実施形態のように、ごく短い時間で表示可能なパーツとして使用することができるため、同じ番組素材データを使用して全く異なる番組を作成することができる。このため、番組の素材そのものを流通させることができる場を提供することができる。
【０１４２】
また、視聴者は、特に限定されないので、システム１を使用するユーザ全員が視聴者となり、また、番組素材提供者ともなり得る。したがって、様々な視聴者が番組構成による表現を行うことができ、さらにその番組データをも他の番組構成として使用したり、単に閲覧に使用したりすることができる。そして、これらの表示に伴う広告データの表示によって、番組素材提供者にも広告収入として利益を還元することができる。よって、不特定多数の視聴者や番組提供者について、番組素材データの提供から、番組の構成やその閲覧といった表現の場の提供だけでなく、広告収入を得る場をも提供することができる。
【０１４３】
また、広告データは、強制的に表示されるので、広告希望者にとっては、入札条件により広告データを表示させる機会を確保することができる。
【０１４４】
＜ハードウェア構成＞
図１０を参照して番組編集サーバ１０ハードウェア構成について説明する。図１０は、本発明の実施形態に係る番組編集サーバ１０のハードウェア構成の一例を示す図である。
【０１４５】
番組編集サーバ１０は、制御部１０１を構成するＣＰＵ（Ｃｅｎｔｒａｌ  Ｐｒｏｃｅｓｓｉｎｇ  Ｕｎｉｔ）１（１０１０）（マルチプロセッサ構成ではＣＰＵ２（１０１２）等複数のＣＰＵが追加されてもよい）、バスライン１００５、通信Ｉ／Ｆ１０４０、メインメモリ１０５０、ＢＩＯＳ（Ｂａｓｉｃ  Ｉｎｐｕｔ  Ｏｕｔｐｕｔ  Ｓｙｓｔｅｍ）１０６０、ＵＳＢポート１０９０、Ｉ／Ｏコントローラ１０７０、ならびにキーボード及びマウス１１００等の入力手段や表示装置１０２２を備える。
【０１４６】
Ｉ／Ｏコントローラ１０７０には、テープドライブ１０７２、ハードディスク１０７４、光ディスクドライブ１０７６、半導体メモリ１０７８、等の記憶手段を接続することができる。
【０１４７】
ＢＩＯＳ１０６０は、各サーバの起動時にＣＰＵ１（１０１０）が実行するブートプログラムや、各サーバのハードウェアに依存するプログラム等を格納する。
【０１４８】
記憶部１３を構成するハードディスク１０７４は、番組編集サーバ１０がサーバとして機能するための各種プログラム及び本発明の機能を実行するプログラムを記憶しており、さらに必要に応じて各種データベース（番組素材データ記憶部１３１、広告データ記憶部１３２等）を構成可能である。
【０１４９】
光ディスクドライブ１０７６としては、例えば、ＤＶＤ−ＲＯＭドライブ、ＣＤ−ＲＯＭドライブ、ＤＶＤ−ＲＡＭドライブ、ＣＤ−ＲＡＭドライブを使用することができる。この場合は各ドライブに対応した光ディスク１０７７を使用する。光ディスク１０７７から光ディスクドライブ１０７６によりプログラムまたはデータを読み取り、Ｉ／Ｏコントローラ１０７０を介してメインメモリ１０５０またはハードディスク１０７４に提供することもできる。
【０１５０】
番組編集サーバ１０に提供されるプログラムは、ハードディスク１０７４、光ディスク１０７７、またはメモリーカード等の記録媒体に格納されて提供される。このプログラムは、Ｉ／Ｏコントローラ１０７０を介して、記録媒体から読み出され、または通信Ｉ／Ｆ１０４０を介してダウンロードされることによって、番組編集サーバ１０にインストールされ実行されてもよい。
【０１５１】
前述のプログラムは、内部または外部の記憶媒体に格納されてもよい。ここで、記憶部１０７を構成する記憶媒体としては、ハードディスク１０７４、光ディスク１０７７、またはメモリーカードの他に、ＭＤ等の光磁気記録媒体、テープ媒体を用いることができる。また、専用通信回線やインターネットに接続されたサーバシステムに設けたハードディスク１０７４または光ディスクライブラリ等の記憶装置を記録媒体として使用し、通信回線を介してプログラムを番組編集サーバ１０に提供してもよい。
【０１５２】
ここで、表示装置１０２２は、ユーザにデータの入力を受け付ける画面を表示したり、番組編集サーバ１０による演算処理結果の画面を表示したりするものであり、ブラウン管表示装置（ＣＲＴ）、液晶表示装置（ＬＣＤ）等のディスプレイ装置を含む。
【０１５３】
ここで、入力手段は、ユーザによる入力の受け付けを行うものであり、キーボード及びマウス１１００等により構成してよい。
【０１５４】
また、通信Ｉ／Ｆ１０４０は、各サーバを専用ネットワークまたは公共ネットワークを介して端末と接続できるようにするためのネットワーク・アダプタである。通信Ｉ／Ｆ１０４０は、モデム、ケーブル・モデム及びイーサネット（登録商標）・アダプタを含んでよい。
【０１５５】
以上の例は、番組編集サーバ１０について主に説明したが、コンピュータに、プログラムをインストールして、そのコンピュータをサーバ装置として動作させることにより各機能を実現することもできる。したがって、本実施形態の番組編集サーバ１０により実現される機能は、前述の方法を当該コンピュータにより実行することにより、あるいは、前述のプログラムを当該コンピュータに導入して実行することによっても実現可能である。
【０１５６】
クライアント装置３０も、前述の番組編集サーバ１０と同様な構成を持つ。また、本実施形態ではいわゆるＰＣ（Ｐｅｒｓｏｎａｌ  Ｃｏｍｐｕｔｅｒ）で実現した例について説明するが、さらに、本発明の原理が適用可能である限り、携帯電話、ＰＤＡ（Ｐｅｒｓｏｎａｌ  Ｄａｔａ  Ａｓｓｉｓｔａｎｔ）、ゲーム機等の様々な端末で実現してよい。
【０１５７】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施例に記載されたものに限定されるものではない。
【０１５８】
なお、本実施形態においては、広告データをある番組素材データと次の番組素材データとの間に挿入して表示するとしたが、これに限らない。例えば、番組素材データが表示されている番組表示部５１の一部に広告データを同時に表示するようにしてもよい。若しくは、広告データが表示される専用の表示領域を設け、番組表示部５１において番組データが表示されるのに伴って、同時に広告データを表示するようにしてもよい。これにより、１つの番組として表示される複数の番組素材データの数よりも多い数の広告データを表示することができる。また、広告希望者にとっては、テキストや動画等、表示される位置に応じて好みの形式の広告データを表示すればよいので至便である。
【０１５９】
本実施形態においては、番組データにおいて、広告データが表示される順番は、番組構成部１２３が決定するとしたがこれに限らない。例えば、番組データ内における広告データを表示する位置を、番組素材データを選択して番組を構成する視聴者が決定するようにしてもよい。例えば、番組内の盛り上がる直前に広告データを挿入し、その後、いわゆる「落ち」となる番組素材データを選択するといった、演出の一環として広告データを挿入する位置を決定をすることがきる。これにより、視聴者は、番組を作成するにおいて、広告データを挿入する位置による演出を含めて番組を作成することができ、より番組作成における自由度を高めることができる。
【図面の簡単な説明】
【０１６０】
【図１】本発明の実施形態に係るシステムの構成を示す図である。  を示す図である。
【図２】本発明の実施形態に係る番組編集サーバの機能構成を示す図である。
【図３】本発明の実施形態に係る番組素材データテーブルを示す図である。
【図４】本発明の実施形態に係る入札情報テーブルを示す図である。
【図５】本発明の実施形態に係る番組素材受付処理の流れを示すフローチャートである。
【図６】本発明の実施形態に係る広告データ受付処理の流れを示すフローチャートである。
【図７】本発明の実施形態に係る番組構成処理の流れを示すフローチャートである。
【図８】本発明の実施形態に係る番組編集要求を行ったクライアント装置において表示される番組編集画面の表示例である。
【図９】本発明の実施形態に係る番組構成の例を示す図である。
【図１０】本発明の実施形態に係る番組編集サーバのハードウェア構成の一例を示す図である。
【符号の説明】
【０１６１】
１    システム
１０  番組編集サーバ
１１  通信部
１２  処理部
１３  記憶部
３０ａ，３０ｂ  クライアント装置
４０  ネットワーク
４２  検索結果表示部
１２１  番組素材データ受付部
１２２  広告データ受付部
１２３  番組構成部
１２５  番組送信部
１２６  利益還元部
１２７  選択可能データ決定部
１２８  ランキングデータ作成部
１３１  番組素材データ記憶部
１３２  広告データ記憶部
１３３  入札情報記憶部
【図１】
2010147737.tif 000003
【図２】
2010147737.tif 000004
【図３】
2010147737.tif 000005
【図４】
2010147737.tif 000006
【図５】
2010147737.tif 000007
【図６】
2010147737.tif 000008
【図７】
2010147737.tif 000009
【図８】
2010147737.tif 000010
【図９】
2010147737.tif 000011
【図１０】
2010147737.tif 000012